(57)【要約】【課題】長時間使用し続けても換気扇側に油滴等が到達することのない油滴捕集フィルタを提供する。【解決手段】フィルタ１０は、煙に含まれる油滴や煤等の汚れを付着させ保持する２つの油滴捕集層１１、１２と、これらの油滴捕集層１１、１２の間に挟まれ、油滴等の通過を阻害する撥油層１３とから成っている。油滴捕集層１１、１２に使用される不織布の繊維材は、複数の合成樹脂体から成る芯鞘構造の吸油繊維材ａで構成され、中間層である撥油層１３に使用される不織布の繊維材は、吸油繊維材ａに対して繊維径を略半分程度と細くした着油繊維材ｂと、吸油繊維材ａに撥油加工を施した撥油繊維材ｃとを、７：３程度の重量の割合で混合した撥油性繊維材ｄで構成される。【選択図】図１
2017221925.tif 000002
【特許請求の範囲】
【請求項１】
２層の油滴捕集層と、該２層の油滴捕集層の間に挟まれた撥油層とから成る油滴捕集フィルタであって、
前記油滴捕集層は複数の合成樹脂材の芯鞘構造から成り、難燃加工を施した吸油繊維材であり、
前記撥油層は、前記吸油繊維材に対して繊維径を細くした着油繊維材と、前記吸油繊維材に撥油加工を施した撥油繊維材とを、所定の割合で混合した撥油性繊維材としたことを特徴とする油滴捕集フィルタ。
【請求項２】
前記撥油性繊維材の前記着油繊維材と前記撥油繊維材とを混合した重量混合比は７：３程度としたことを特徴とする請求項１に記載の油滴捕集フィルタ。
【請求項３】
前記吸油繊維材及び前記着油繊維材の繊維径の比は２：１程度としたことを特徴とする請求項１又２に記載の油滴捕集フィルタ。
【請求項４】
換気扇にねじ止めされたフィルタ用枠板に取り付け可能としたことを請求項１〜３の何れか１項に記載の油滴捕集フィルタ。
【発明の詳細な説明】
【技術分野】
【０００１】
本発明は、換気扇等の通気路に取り付ける油滴捕集フィルタに関するものである。
【背景技術】
【０００２】
特許文献１には、換気扇の吸込み側である前面に取り付け、吸込む空気中の油滴、塵、煤等を取り除き、換気扇の汚れを防止する換気扇用のフィルタが開示されている。
【０００３】
この特許文献１のフィルタは不織布から成形されており、十分に油滴等を吸収した後には、新しいフィルタと交換する。
【先行技術文献】
【特許文献】
【０００４】
【特許文献１】特開２００２−２５３９１３号公報
【発明の概要】
【発明が解決しようとする課題】
【０００５】
しかし、特許文献１のフィルタのように吸収性の高い不織布層から成るフィルタは、長時間使用し続けると、徐々に油滴等が不織布層の裏側まで達して、更に換気扇にまで油滴等の汚れが飛散することがある。
【０００６】
換気扇の羽根部に油滴等が付着した場合には、掃除が面倒であり、また換気扇のモータ等に油滴等が進入すると、故障や発火の原因となる。
【０００７】
本発明の目的は、上述の課題を解消し、長時間使用し続けても換気扇側に油滴等が到達することのない油滴捕集フィルタを提供することにある。
【課題を解決するための手段】
【０００８】
上記目的を達成するための本発明に係る油滴捕集フィルタは、２層の油滴捕集層と、該２層の油滴捕集層の間に挟まれた撥油層とから成る油滴捕集フィルタであって、前記油滴捕集層は合成樹脂材の芯鞘構造の着油繊維材に難燃加工を施したものであり、前記撥油層は、難燃加工を施した前記着油繊維材と、前記着油繊維材の繊維径を細くし、更に表面に撥油加工を施した撥油繊維材とを、所定の割合で混合した撥油性繊維材としたことを特徴とする。
【発明の効果】
【０００９】
本発明に係る油滴捕集フィルタによれば、２層の油滴捕集層の間に撥油層を挟むことで、油滴等の汚れを油滴捕集層で捕集すると同時に、撥油層で油滴等の汚れの通過を遮断する。換気扇の手前にフィルタを配置することにより、油滴が換気扇まで到達することはない。
【図面の簡単な説明】
【００１０】
【図１】油滴捕集フィルタの断面図である。
【図２】換気扇手前にフィルタを取り付ける状態の分解斜視図である。
【発明を実施するための形態】
【００１１】
本発明を図示の実施例に基づいて詳細に説明する。
図１は実施例の油滴捕集フィルタ１０の断面図であり、フィルタ１０は３層構造から成るシート材である。フィルタ１０の大きさは、例えば縦４０ｃｍ、横６０ｃｍの長方形であり、厚さ５ｍｍ程度とされている。フィルタ１０は換気扇下の枠板の大きさや換気扇の直径に応じて適宜のサイズのものを使用する。
【００１２】
フィルタ１０は、煙に含まれる油滴や煤等の汚れを付着させ、保持する２つの油滴捕集層１１、１２と、これらの油滴捕集層１１、１２の間に挟まれ、油滴等の通過を阻害する撥油層１３とから成っている。
【００１３】
これらの油滴捕集層１１、１２及び撥油層１３は、例えば不織布、織布、編地又はこれらの組み合わせから構成されているが、捕集性と通気性のバランスと、経済性の点から不織布を用いることが好適である。
【００１４】
フィルタ１０の目付は４０〜１００ｇ／ｍ2の範囲であることが好ましく、フィルタ１０の目付が前記範囲内であれば、嵩高くて、適度な通気性のある不織布とすることができる。なお、ここで目付とは、単位面積あたりの不織布の質量であり、ＪＩＳ  Ｌ  １０８５  ５．２法を用いて測定されている。
【００１５】
油滴捕集層１１、１２に使用される不織布の繊維材は、芯部／鞘部をポリエステル／共重合ポリエステル、ポリエステル／ポリエチレン、ポリエステル／ポリプロピレン又はプロピレン共重合体、ポリプロピレン／ポリエチレン、ポリプロピレン／プロピレン共重合体等の複数の合成樹脂体から成る芯鞘構造の吸油繊維材ａにより構成されている。
【００１６】
吸油繊維材ａは鞘成分の融点よりも高く、芯成分の融点よりも低い温度で熱処理することにより、ウェブを構成する繊維同士を接着することができる。吸油繊維材ａから成る油滴捕集層１１、１２の厚みは２ｍｍ程度であり、目付け量は１９ｇ／ｍ2程度である。
【００１７】
更に、吸油繊維材ａは難燃加工が施されており、調理室等から高温の油煙が流れ込んだとしても焦げ付いたり、引火することはない。難燃加工は吸油繊維材ａの内部に難燃剤を練り込む加工方法であってもよく、或いは吸油繊維材ａの製造後に、難燃剤の水溶液に浸漬付着させた後に乾燥させたり、難燃剤を吸油繊維材ａに付着させ、吸油繊維材ａと難燃剤とを化学的に反応させる加工方法であってもよい。
【００１８】
中間層である撥油層１３に使用される不織布の繊維材は、吸油繊維材ａに対して繊維径を略半分程度と細くした着油繊維材ｂと、吸油繊維材ａに撥油加工を施した撥油繊維材ｃとを、７：３程度の重量の割合で混合した撥油性繊維材ｄで構成される。
【００１９】
なお、着油繊維材ｂには繊維材内部に上述の難燃剤を含む難燃加工を施してもよい。また、撥油層１３の厚みは１ｍｍ程度であり、目付け量は１７ｇ／ｍ2程度である。
【００２０】
吸油繊維材ａの繊維径は例えば３０μｍ程度であり、着油繊維材ｂの繊維径は例えば１８μｍ程度であり、吸油繊維材ａ及び着油繊維材ｂの繊維径の比は２：１程度が好ましい。
【００２１】
撥油繊維材ｃは撥油加工を施すと共に、撥油層１３に着油繊維材ｂの細い繊維の割合を多くすることで繊維間の間隔を狭くする、つまり繊維の密度を高めることで、油滴等が撥油層１３を通過し難くしている。
【００２２】
しかし、吸油繊維材ａ、着油繊維材ｂの繊維径を共に所定値よりも細くする、特に、着油繊維材ｂの繊維径を更に細くすると、各層の網目間隔を狭くなり過ぎてフィルタ１０の通気性が失われてしまう。
【００２３】
従って、換気扇の風量等に応じて通気性を失わない範囲で、撥油層１３の吸油繊維材ａと着油繊維材ｂとの繊維径の選択、及び着油繊維材ｂと撥油繊維材ｃとの割合比を調整する必要が生ずる。
【００２４】
撥油繊維材ｃの表面に耐久性を有する撥水性皮膜を形成する撥油加工には、例えば低温で皮膜を形成するＳｉ−Ｈ結合を持つメチルハイドジェンシリコンオイルが使用されている。
【００２５】
このＳｉ−Ｈ結合が熱処理により、新しいシロキサン結合を形成すると共に、繊維の表面にある水素原子とシリコンオイルの酸素原子との間に水素結合を生成して、疎水性のメチル基を外側に配向し三次元構造となる。この疎水性のメチル基が繊維の表面を覆うことにより、撥水性を有することになり、撥油繊維材ｃ上に極めて薄いシリコン皮膜を形成することが可能となる。
【００２６】
また、繊維表面に撥油加工であるシリコン加工を施した撥油繊維材ｃの割合を多くすると、撥油性が高まるが難燃性を十分に保持できなくなるため、撥油繊維材ｃの割合は、撥油性繊維材ｄにおいて、例えば４割以下にすることが好ましい。
【００２７】
図２はフィルタ１０をレンジフードＦの換気扇Ｋ手前に取り付ける状態の分解斜視図である。矩形状のフィルタ用枠板Ｗは、換気扇Ｋの吸気側にねじ止めにより固定されており、フィルタ１０は枠板Ｗに着脱自在に取り付けられている。
【００２８】
枠板Ｗは合成樹脂や金属から成り、外枠に対して網目状に棒体が等間隔で掛け渡されている。これらの棒体は通気性とフィルタ１０の保持性とから適宜の間隔で配置される。
【００２９】
枠板Ｗの外枠の四隅には、換気扇Ｋの固定用のねじ孔Ｎが穿設されており、更にねじ孔Ｎの内側の四隅には、面ファスナＭが貼着されている。面ファスナＭは表面に湾曲し、剛性を備える合成繊維系が配置されている。
【００３０】
不織布から成るフィルタ１０を枠板Ｗの四隅の面ファスナＭに押し付けることで容易にフィルタ１０を枠板Ｗに強固に取り付けることが可能である。従って、フィルタ１０を交換する際は、枠板Ｗから使用済みのフィルタ１０を剥がした後に、新しいフィルタ１０を枠板Ｗの四隅の面ファスナＭに押し付けることで、取り付け作業は完了する。
【００３１】
そして、換気扇Ｋを起動させると、換気扇Ｋの羽根の回転によって生ずる吸引力によって、調理場で発生する煙や蒸気等がレンジフードＦ内に流れ込む。この際に、換気扇Ｋの吸気側に配置したフィルタ１０によって、レンジフードＦ内に流れ込だ煙や蒸気に含まれる油滴、塵、煤等の汚れが捕集される。
【００３２】
フィルタ１０に調理室等からの気流が通過すると、先ずこの気流に含まれる油滴等が表面側の油滴捕集層１１の吸油繊維材ａに付着し、捕集されることになる。換気扇Ｋの吸引力によって、油滴捕集層１１の吸油繊維材ａに保持された油滴等は、撥油層１３の撥油性繊維材ｄを通過しようとするが、空気のみが通過し、大部分の油滴等は撥油性繊維材ｄの撥油効果により撥油層１３を通過することができない。
【００３３】
しかし、微量の油滴等は通気性を備える撥油層１３の撥油性繊維材ｄ間を通過することになる。そして、撥油層１３を通過した油滴等は、最終的に裏面側に配置した油滴捕集層１２の吸油繊維材ａに付着して、捕集されることになる。従って、気流に含まれる油滴等が換気扇Ｋまで到達することはない。
【００３４】
そして、換気扇Ｋを長期間使用することで、油滴や煤等の汚れが油滴捕集層１１、１２に付着し黒ずんでゆき、或る程度、油滴捕集層１１が汚れたら、枠板Ｗを取り外して上述の通りフィルタ１０を交換する。或いは、油滴捕集層１１が余り汚れないうちに、フィルタ１０を裏返して使用することもできる。
【００３５】
本実施例では、油滴捕集層１１、１２の厚みを同等として説明したが、油滴捕集層１１、１２の厚みを表面側と裏面側とで変えることもできる。
【００３６】
また本実施例では、フィルタは換気扇に使用されるものとして説明したが、換気扇用以外でも油滴が飛散する作業場の集塵装置等の適宜の装置に用いることができる。
【符号の説明】
【００３７】
１０  フィルタ
１１、１２  油滴捕集層
１３  撥油層
Ｋ  換気扇
Ｗ  フィルタ用枠板
【図１】
2017221925.tif 000003
【図２】
2017221925.tif 000004